(57)【要約】【課題】必要なクランプピースが一種類のみですみ、しかも上下及び左右各方向荷重に対して高い抗力を発揮する。【解決手段】一端側に円弧状に湾曲するクランプ部１２、他端側に固定部１４を有するクランプピース１１を備え、このクランプピース１１のクランプ部１２は、片側に係合片１５、反対側に係合穴１７を有する二股状に形成するとともに、係合片１５の先端部１５ａを外向き円弧状に折り曲げ、このクランプピース１１を二個一組として、互いの係合片１５と係合穴１７が係合する状態で組み合わせて一つのクランプを構成する。【選択図】        図１
2004218659.tif 000002
【特許請求の範囲】
【請求項１】
管体をつかむクランプ部と、固定部分に取付けられる固定部とを有するクランプピースを備え、このクランプピースの上記クランプ部は、片側に係合片、反対側に係合穴を有する二股状に形成するとともに、上記係合片の先端部を外向きに折り曲げ、このクランプピースを二個一組として、互いの係合片と係合穴が係合する状態で組み合わせるように構成したことを特徴とするクランプ。
【発明の詳細な説明】
【０００１】
【発明の属する技術分野】
本発明はたとえば建設機械の油圧その他の配管（金属管、プラスチック管、可撓性のホースを含むすべての配管をいう）をつかみ固定するクランプに関するものである。
【０００２】
【従来の技術】
従来、この種のクランプのうち、一端側で配管をつかみ、他端側で固定部分に固定する片側固定タイプのものは、最も一般的には図５に示すように、同一構成（同一部品）の一対のクランプピース１，１を組み合わせて構成される。
【０００３】
クランプピース１は、一端側に管体Ｐをつかむ円弧状に湾曲したクランプ部２、他端側にボルト挿通穴３を持った固定部４をそれぞれ有し、両クランプピース１，１のクランプ部２，２間に管体Ｐを挟み込んだ状態で、固定部４，４をボルト５で図示しない固定部分に取付ける。
【０００４】
ところが、この構成によると、クランプ部２，２は先端側が開いたまま固定されていないため、管体Ｐに上下方向（図５の矢印イ方向）または左右方向（同ロ方向）の大きな荷重が作用すると、クランプ部２，２が開いたり破損したりし易いという難点があった。
【０００５】
一方、改善策として、図６に示すようにクランプ部２の先端部（開放端部）に先すぼまりの凹部５と先広がりの凸部６を設け、両クランプピース１，１の凹部５と凸部６を係合させることによってクランプ部２，２の開きを防止する構造が提案された（特許文献１参照）。
【０００６】
また、別の技術として、一方のクランプピースにおけるクランプ部の先端部に外向きに折れ曲がった係合片、他方のクランプピースにおけるクランプ部の先端部に係合穴を設け、これらを係合させる構造が提案された（特許文献２参照）。
【０００７】
【特許文献１】
実開平５−４７６７４号公報
【特許文献２】
実開昭５７−４４２７２号公報
【０００８】
【発明が解決しようとする課題】
しかし、特許文献１に記載された公知技術によると、凹部５と凸部６の係合部分は、上下方向（矢印イ方向）の荷重に対しては共同で対抗して有効な開き止め作用を発揮するものの、左右方向（同ロ方向）の荷重に対しては両クランプ部別々に対抗するため、大荷重によってクランプ部が変形し易く、一度変形して凹凸係合が外れると上下方向の荷重に対しても弱くなる。
【０００９】
これに対し、特許文献２に記載された公知技術によると、外向き円弧状の係合片と係合穴の係合作用により、両クランプピースのクランプが共同で上下及び左右両方向の荷重に対抗するため、高い耐荷重性能を発揮する。
【００１０】
しかしこの構成では、係合片付きのクランプピースと、係合穴付きのクランプピースという構成の異なる二種類のクランプピースが必要となって部品点数が増えるため、製造コスト、及び保管、運搬を含む流通各過程でコスト高となるととともに、取り扱いに不便となるという弊害が生じる。
【００１１】
そこで本発明は、必要なクランプピースが一種類のみですみ、しかも上下及び左右各方向荷重に対して高い抗力を発揮するクランプを提供するものである。
【００１２】
【課題を解決するための手段】
本発明は、管体をつかむクランプ部と、固定部分に取付けられる固定部とを有するクランプピースを備え、このクランプピースの上記クランプ部は、片側に係合片、反対側に係合穴を有する二股状に形成するとともに、上記係合片の先端部を外向きに折り曲げ、このクランプピースを二個一組として、互いの係合片と係合穴が係合する状態で組み合わせるように構成したものである。
【００１３】
このように、係合片と係合穴を持った同一構成の二個のクランプピースを互いの係合片と係合穴が係合する状態で組み合わせて一つのクランプを構成するため、使用するクランプピースとしては一種類のみですむ。このため、クランプの製造コスト及び流通各過程でのコストを安くできるとともに、取り扱いに便利となる。
【００１４】
しかも、先端部が外向きに折れ曲がった係合片を係合穴に係合させるため、上下及び左右両方向の荷重を両クランプ部共同で受けることができ、かつ、上記係合部分による荷重支持作用が二個所で対称的に行われる。
【００１５】
このため、各方向の荷重に対して高い抗力を発揮する。
【００１６】
【発明の実施の形態】
本発明の実施形態を図１〜図４によって説明する。
【００１７】
このクランプは、同一部品としての二個のクランプピース１１，１１を組み合わせて構成される。
【００１８】
クランプピース１１は、一端側に、管体Ｐをつかむ円弧状に湾曲したクランプ部１２、他端側にボルト挿通穴１３を持った固定部１４をそれぞれ有する。
【００１９】
クランプ部１２の先端側は二股状とされ、その片側に、先端部１５ａが外向き円弧状に折り曲げられた係合片１５が形成されている。
【００２０】
また、この係合片１５と反対側の部分１６には、係合片１５が通過し得る大きさの角穴である係合穴１７が設けられている。
【００２１】
この構成において、図３，４に示すように、二個のクランプピース１１，１１を表裏逆向きとして、互いの係合片１５と係合穴１７が係合する状態でかみ合わせ結合し、互いのクランプ部１２，１２間に管体Ｐを挟み込んだ状態で固定部１４，１４をボルト１８で固定部分１９に取付けることにより、管体Ｐをつかみ固定する。
【００２２】
このクランプによると、同一部品である二個のクランプピース１１，１１を表裏逆向きで組み合わせるだけでよいため、クランプを構成するクランプピース１１が一種類のみですむ。このため、構成の異なる二種類のクランプピースを組み合わせる公知技術と比較して、製造コスト及び、保管、運搬等の流通各過程でのコストを格段に安くすることができる。
【００２３】
しかも、荷重支持作用の点では、
▲１▼  先端部１５ａが外向き円弧状に折れ曲がった係合片１５を相手方の係合穴１７に係合させるため、上下及び左右両方向の荷重を両クランプ部共同で受けることができる。
【００２４】
▲２▼  クランプ部１２，１２が係合片１５と係合穴１７を有し、上記係合部分による荷重支持作用が二個所で対称的に行われる。
【００２５】
この二点により、各方向の荷重に対してクランプ全体としてきわめて高い抗力を発揮するため、クランプ部１２，１２が開いたり破損したりするおそれがなくなる。
【００２６】
【発明の効果】
上記のように本発明によると、使用するクランプピースが一種類のみですむため、クランプの製造コスト、及び流通各過程でのコストを安くできるとともに、取り扱いに便利となる。
【００２７】
しかも、係合片と係合穴の係合部分で上下及び左右両方向の荷重を両クランプ部共同で受け、かつ、この荷重支持作用が二個所で対称的に行われるため、各方向の荷重に対して高い抗力を発揮し、大荷重による開きや破損を防止し、確実な管体固定作用を得ることができる。
【図面の簡単な説明】
【図１】本発明の実施形態にかかるクランプの分解斜視図である。
【図２】同クランプを構成するクランプピースの平面図である。
【図３】同クランプを開いた状態の拡大側断面図である。
【図４】同クランプを閉じて固定した状態の拡大側断面図である。
【図５】従来のクランプの斜視図である。
【図６】別の公知クランプの斜視図である。
【符号の説明】
１１，１１  クランプピース
１２  クランプピースのクランプ部
１４  同固定部
１５  係合片
１５ａ  係合片の先端部
１７  係合穴
【図１】
2004218659.tif 000003
【図２】
2004218659.tif 000004
【図３】
2004218659.tif 000005
【図４】
2004218659.tif 000006
【図５】
2004218659.tif 000007
【図６】
2004218659.tif 000008